(57)【特許請求の範囲】
【請求項１】
連結物を出入させる環基体の開口部の一端部に、開閉体を枢着してこの開口部を開閉自在に閉塞し、この開閉体を閉塞する方向に付勢するバネに抗して開閉体を内側へ回動させて前記開口部を開放し前記連結物を前記環基体内へ出入させるように構成した連結環において、前記開口部の一端と前記開閉体の基端との枢着構造を、開閉体の基端部に設けた対向壁間に架設した枢着軸に開口部の一端部に設けた連結部を軸着し、この連結部の中央には前記枢着軸に軸着しない切欠部を設けてこの連結部の左右離間した位置を夫々前記枢着軸に軸着する構成とし、この切欠部に位置する枢着軸に前記バネを設けた構成とし、前記開閉体を断面コ字状に構成し、前記開口部の一端部には、この断面コ字状の開閉体の基端部の前記対向壁間に配設される前記連結部を形成し、この連結部の先端部を凹設状態に設けて前記切欠部を設け、この連結部の先端左右凸部に前記枢着軸が挿通する軸孔を設けて、左右離間した位置の前記先端左右凸部の軸孔に前記枢着軸を挿通して前記対向壁間にこの枢着軸を架設して前記開閉体を枢着した構成とし、前記切欠部による前記先端左右凸部間で露出状態となっている前記枢着軸に、前記開閉体を閉塞方向に付勢するバネを巻回配設した構成とし、前記開閉体の回動先端部と前記開口部の他端とがこの開閉体の開口部閉塞時に係合する構成とし、前記連結物による引っ張り負荷時に前記連結部の中央部の切欠部間隔を保持するため、この連結部の前記切欠部により左右に形成された先端左右凸部を架設部により連結したことを特徴とする連結環。
【請求項２】
Ｃ状の環基体の開口部の一端部に開閉体の基端部を枢着して、この回動自在に設けた開閉体で前記Ｃ状の環基体の開口部を閉塞し、この開閉体を閉塞する方向に付勢するバネに抗して開閉体を内側へ回動させて前記開口部を開放し連結物を前記環基体内へ出入させるように構成した連結環において、前記開口部の一端と前記開閉体の基端との枢着構造を、開閉体の基端部に設けた対向壁間に架設した枢着軸に開口部の一端部に設けた連結部を軸着し、この連結部の中央には前記枢着軸に軸着しない切欠部を設けてこの連結部の左右離間した位置を夫々前記枢着軸に軸着する構成とし、この切欠部に位置する枢着軸に前記バネを設けた構成とし、前記開閉体を断面コ字状に構成し、前記開口部の一端部には、この断面コ字状の開閉体の基端部の前記対向壁間に配設される前記連結部を形成し、この連結部の先端部を凹設状態に設けて前記切欠部を設け、この連結部の先端左右凸部に前記枢着軸が挿通する軸孔を設けて、左右離間した位置の前記先端左右凸部の軸孔に前記枢着軸を挿通して前記対向壁間にこの枢着軸を架設して前記開閉体を枢着した構成とし、前記切欠部による前記先端左右凸部間で露出状態となっている前記枢着軸に、前記開閉体を閉塞方向に付勢するバネを巻回配設した構成とし、前記開閉体の回動先端部と前記開口部の他端とがこの開閉体の開口部閉塞時に係合する構成とし、前記連結物による引っ張り負荷時に前記連結部の中央部の切欠部間隔を保持するため、この連結部の前記切欠部により左右に形成された先端左右凸部を架設部により連結したことを特徴とする連結環。
【請求項３】
前記連結部の左右外面に、開閉体若しくは連結部の左右へのガタ付き微動を阻止し、且つ開閉体の回動時の摩擦を微小とする微小突起を設けたことを特徴とする請求項１，２のいずれか１項に記載の連結環。
【発明の詳細な説明】
【０００１】
【発明の属する技術分野】
本発明は、チェーンやカラビナなどの連結環に関するものである。
【０００２】
【従来の技術及び発明が解決しようとする課題】
チェーンやロープ・ワイヤーなどの連結物１を出入させる環基体２の開口部３の一端部に、開閉体４を枢着してこの開口部３を開閉自在に閉塞し、この開閉体４を閉塞する方向に付勢するバネ５に抗して開閉体４を内側へ回動させて前記開口部３を開放し前記連結物１を前記環基体２内へ出入させるように構成した連結環において、前記開口部３の一端と前記開閉体４の一端との枢着構造は、一方に設けた対向壁６間に架設した枢着軸７に他方に設けた連結部８を軸着し、この枢着軸７に前記バネ５を巻回配設した構成としている。
【０００３】
即ち、例えばＣ状杆で構成した環基体２の開口部３の一端部に、断面コ字状のチャンネル状材で構成した開閉体４の基端を枢着して、この回動自在に設けた開閉体４でバネ５の付勢力によって開口部３を閉塞するように構成している。
【０００４】
具体的には、例えば、図５に示す従来例１は、開口部３の一端部を細杆状として連結部８を形成し、この連結部８にチャンネル状の開閉体４を被嵌し、連結部８に設けた軸孔10に枢着軸７を挿通しこの枢着軸７を開閉体４の対向壁６間に架設して軸着し開閉体４を枢着する。またこの連結部８を細杆状としたことで左右に露出した枢着軸７、即ち、連結部８の左右外面と開閉体４の対向壁６間との間隔に、夫々バネ３を巻回配設した構成としている。
【０００５】
また、図６に示す従来例２は、開口部３の一端部の一側を切欠して片側に寄った位置に細杆状の突出部を形成して連結部８とし、従来例１と同様にこの連結部８に設けた軸孔10に枢着軸７を挿通して開閉体４を枢着し、この連結部８の一側に露出した枢着軸７、即ち連結部８の一側外面と開閉体４の対向壁６の一側との間隔にバネ５を巻回配設した構成としている。
【０００６】
しかしながら、前記従来例１，２のいずれも連結部８に対して開閉体４が左右方向にガタ付き微動し易く、また回動する開閉体４の対向壁６内面にバネ５が接するため、開閉回動を繰り返すうちに回動不良を来すおそれもある。
【０００７】
また、連結物により引っ張り負荷がかかったとき、特に開閉体４が開口部３を閉塞した状態のとき、開閉体４の回動先端部と開口部３の他端とが係合するように構成したとき枢着軸７に負荷がかかると、架設した枢着軸７の一点に負荷がかかるため枢着軸７が曲がる（歪む）おそれもあり、この枢着軸７の曲がりにより開閉体４の回動不良が生じる場合がある。
【０００８】
また、従来例１では、二つのバネを用いるため、それだけコストアップとなりまた、製作も厄介である。
【０００９】
一方、従来例２では、バネは一つであるが、片側によった位置で軸着しているため、回動安定性が悪く、片側のバネが片側壁面に接することもあって、やはり回動不良を生じかねない。
【００１０】
本発明は、従来構造にこのような問題点を見い出し、これを簡易な構造で解決し、従来例に比べて回動不良を生じにくい構成とし、従来例より容易に耐久性を飛躍的に向上させることができる枢着構造の画期的な連結環を提供することを目的としている。
【００１１】
【課題を解決するための手段】
添付図面を参照して本発明の要旨を説明する。
【００１２】
連結物１を出入させる環基体２の開口部３の一端部に、開閉体４を枢着してこの開口部３を開閉自在に閉塞し、この開閉体４を閉塞する方向に付勢するバネ５に抗して開閉体４を内側へ回動させて前記開口部３を開放し前記連結物１を前記環基体２内へ出入させるように構成した連結環において、前記開口部３の一端と前記開閉体４の基端との枢着構造を、開閉体４の基端部に設けた対向壁６間に架設した枢着軸７に開口部３の一端部に設けた連結部８を軸着し、この連結部８の中央には前記枢着軸７に軸着しない切欠部９を設けてこの連結部８の左右離間した位置を夫々前記枢着軸７に軸着する構成とし、この切欠部９に位置する枢着軸７に前記バネ５を設けた構成とし、前記開閉体４を断面コ字状に構成し、前記開口部３の一端部には、この断面コ字状の開閉体４の基端部の前記対向壁６間に配設される前記連結部８を形成し、この連結部８の先端部を凹設状態に設けて前記切欠部９を設け、この連結部８の先端左右凸部８Ａに前記枢着軸７が挿通する軸孔10を設けて、左右離間した位置の前記先端左右凸部８Ａの軸孔10に前記枢着軸７を挿通して前記対向壁６間にこの枢着軸７を架設して前記開閉体４を枢着した構成とし、前記切欠部９による前記先端左右凸部８Ａ間で露出状態となっている前記枢着軸７に、前記開閉体４を閉塞方向に付勢するバネ５を巻回配設した構成とし、前記開閉体４の回動先端部と前記開口部３の他端とがこの開閉体４の開口部３閉塞時に係合する構成とし、前記連結物１による引っ張り負荷時に前記連結部８の中央部の切欠部９間隔を保持するため、この連結部８の前記切欠部９により左右に形成された先端左右凸部８Ａを架設部12により連結したことを特徴とする連結環に係るものである。
【００１３】
また、Ｃ状の環基体２の開口部３の一端部に開閉体４の基端部を枢着して、この回動自在に設けた開閉体４で前記Ｃ状の環基体２の開口部３を閉塞し、この開閉体４を閉塞する方向に付勢するバネ５に抗して開閉体４を内側へ回動させて前記開口部３を開放し連結物１を前記環基体２内へ出入させるように構成した連結環において、前記開口部３の一端と前記開閉体４の基端との枢着構造を、開閉体４の基端部に設けた対向壁６間に架設した枢着軸７に開口部３の一端部に設けた連結部８を軸着し、この連結部８の中央には前記枢着軸７に軸着しない切欠部９を設けてこの連結部８の左右離間した位置を夫々前記枢着軸７に軸着する構成とし、この切欠部９に位置する枢着軸７に前記バネ５を設けた構成とし、前記開閉体４を断面コ字状に構成し、前記開口部３の一端部には、この断面コ字状の開閉体４の基端部の前記対向壁６間に配設される前記連結部８を形成し、この連結部８の先端部を凹設状態に設けて前記切欠部９を設け、この連結部８の先端左右凸部８Ａに前記枢着軸７が挿通する軸孔10を設けて、左右離間した位置の前記先端左右凸部８Ａの軸孔10に前記枢着軸７を挿通して前記対向壁６間にこの枢着軸７を架設して前記開閉体４を枢着した構成とし、前記切欠部９による前記先端左右凸部８Ａ間で露出状態となっている前記枢着軸７に、前記開閉体４を閉塞方向に付勢するバネ５を巻回配設した構成とし、前記開閉体４の回動先端部と前記開口部３の他端とがこの開閉体４の開口部３閉塞時に係合する構成とし、前記連結物１による引っ張り負荷時に前記連結部８の中央部の切欠部９間隔を保持するため、この連結部８の前記切欠部９により左右に形成された先端左右凸部８Ａを架設部12により連結したことを特徴とする連結環に係るものである。
【００１４】
また、前記連結部８の左右外面に、開閉体４若しくは連結部８の左右へのガタ付き微動を阻止し、且つ開閉体４の回動時の摩擦を微小とする微小突起11を設けたことを特徴とする請求項１，２のいずれか１項に記載の連結環に係るものである。
【００１５】
【発明の実施の形態】
好適と考える本発明の実施の形態（発明をどのように実施するか）を、図面に基づいてその作用効果を示して簡単に説明する。
【００１６】
連結物１を出入させる環基体２の開口部３の一端部に、開閉体４を枢着してこの開口部３を開閉自在に閉塞した連結環の前記開口部３の一端と前記開閉体４の基端との枢着構造を、一方に設けた対向壁６間に架設した枢着軸７に他方に設けた連結部８を軸着し、この連結部８の中央には前記枢着軸７に軸着しない切欠部９を設けてこの連結部８の左右離間した位置を夫々前記枢着軸７に軸着する構成とし、この切欠部９に位置する枢着軸７に前記バネ５を設けた構成とする。
【００１７】
従って、連結部８は左右離間した位置で枢着軸７に軸着するから、左右への開閉体４のガタ付き微動は生じにくく、また引っ張り負荷に対しても、少なくとも枢着軸７の中央一点ではなく、左右離間した位置で軸着されるため、連結部８を介して引っ張り力が枢着軸７に加わっていても、枢着軸７は曲がりにくく、剪断するまでの負荷がかからない限り歪みにくい構造となる。
【００１８】
また、この左右に離間した軸着構造（左右支持構造）とする連結部８の切欠部９を利用し、この切欠部９内の枢着軸７にバネ５を配設するため、回動する開閉体４の回動面とバネ５とが接することはなく、回動接触を極めて少なくすることができ、回動不良が生じにくい。
【００１９】
従って、簡易な構成にして製作も容易で量産性に秀れると共に、従来例に比してガタ付き微動もしにくく、枢着軸７が引っ張り負荷によって歪みにくく、その上バネが開閉体４の回動面に接することもないので、回動しづらくなったり、バネ付勢が良好に働かなくなったり、開閉体４が閉塞位置へ戻らなくなったりするような回動不良が生じにくく、耐久性が従来例より一段と向上する構成となる。
【００２０】
【実施例】
本発明の具体的な実施例について図面に基づいて説明する。
【００２１】
本実施例では、開閉体４に設けた対向壁６間に架設する枢着軸７に、開口部３の一端に設けた連結部８を軸着した構成としている。即ち、前記開閉体４を断面コ字状（チャンネル状）に構成し、前記開口部３の一端部には、この断面コ字状の開閉体４の基端部の前記対向壁６間に丁度係合配設される厚みの連結部８を形成し、この連結部８に軸孔10を設け、この軸孔10に前記枢着軸７を挿通し対向壁６間にこの枢着軸７を架設して前記開閉体４を枢着した構成としている。
【００２２】
本実施例では、このような枢着構造において、連結部８の先端部を凹設状態に設けて切欠部９を設け、この連結部８の先端左右凸部８Ａを前記枢着軸７に軸着する構成とし、この切欠部９による前記先端左右凸部８Ａ間で露出状態となっている枢着軸７に、開閉体４を閉塞方向に付勢するバネ５を巻回配設する構造としている。
【００２３】
また、本実施例では、図３に示す拡大図のように、連結部８の左右外面に、開閉体４若しくは連結部８の左右へのガタ付き微動を阻止し、且つ開閉体４の回動時の摩擦を微小とする微小突起11を設けている。
【００２４】
また、図４に示すように前記開閉体４の回動先端部と前記開口部３の他端とがこの開閉体４の開口部３閉塞時に引っ掛け係合する構成としても良いが、この場合特に前記連結物１による引っ張り負荷が枢着軸７にかかり易いが、本実施例では、枢着軸７の左右離間した位置で軸着しているため、枢着軸７は歪みにくく、また、この引っ張り負荷時に前記連結部８の中央部の切欠部９間隔が狭まろうとする力が働くが、本実施例ではこの連結部８の前記切欠部９により左右に形成された先端左右凸部８Ａを架設部12により連結して、引っ張り負荷が加わっても、切欠部９の間隔を保持できるように補強している。
【００２５】
【発明の効果】
本発明は上述のように構成したから、従来例に比べて回動不良を生じにくい構成となり、従来例より容易に耐久性を向上させることができる枢着構造となる画期的な連結環となる。
【００２６】
即ち、連結部は左右離間した位置で枢着軸に軸着するから、左右への開閉体のガタ付き微動は生じにくく、また引っ張り負荷に対しても、少なくとも枢着軸の中央一点ではなく、左右離間した位置で軸着されるため、連結部を介して引っ張り力が枢着軸に加わっていても、枢着軸は曲がりにくく、剪断するまでの負荷がかからない限り歪みにくい構造となる。
【００２７】
また、この左右に離間した軸着構造（左右支持構造）とする連結部の切欠部を利用し、この切欠部内の枢着軸にバネを配設するため、回動する開閉体とバネとが接することはなく、回動接触を極めて少なくすることができ回動不良が生じにくい枢着構造となる。
【００２８】
従って、簡易な構成にして製作も容易で量産性に秀れると共に、従来例に比してガタ付き微動もしにくく、枢着軸が引っ張り負荷によって歪みにくく、その上バネが開閉体の回動面に接することもないので、回動しづらくなったり、バネ付勢が良好に働かなくなったり、開閉体が閉塞位置へ戻らなくなったりするような回動不良が生じにくく、耐久性が従来例より一段と向上する連結環となる。
【００２９】
また、本発明においては、前記開閉体を断面コ字状に構成し、前記開口部の一端部には、この断面コ字状の開閉体の基端部の前記対向壁間に配設される前記連結部を形成し、この連結部の先端部を凹設状態に設けて前記切欠部を設け、この連結部の先端左右凸部に前記枢着軸が挿通する軸孔を設けて、左右離間した位置の前記先端左右凸部の軸孔に前記枢着軸を挿通して前記対向壁間にこの枢着軸を架設して前記開閉体を枢着した構成とし、前記切欠部による前記先端左右凸部間で露出状態となっている前記枢着軸に、前記開閉体を閉塞方向に付勢するバネを巻回配設したから、一層簡易な構成で本発明を容易に実現できる極めて実用性に秀れた連結環となる。
【００３０】
また、本発明においては、前記開閉体の回動先端部と前記開口部の他端とがこの開閉体の開口部閉塞時に係合する構成とし、前記連結物による引っ張り負荷時に前記連結部の中央部の切欠部間隔を保持するため、この連結部の前記切欠部により左右に形成された先端左右凸部を架設部により連結したから、前記開閉体の回動先端部と前記開口部の他端とがこの開閉体の開口部閉塞時に係合する構成としても、前記連結物による引っ張り負荷時に前記連結部の中央部の切欠部間隔が狭まろうとすることを防止して切欠部間隔を保持でき、一層引っ張り強度にも強く、耐久性に秀れた連結環となる。
【００３１】
また、請求項３記載の発明においては、一層左右への開閉体のガタ付き微動は生じにくく、その上回動抵抗も極めて少なくすることができる秀れた連結環となる。
【図面の簡単な説明】
【図１】  本実施例の説明正面図である。
【図２】  本実施例の説明平断面図である。
【図３】  本実施例の要部の説明拡大平断面図である。
【図４】  本実施例の開閉体の回動先端部と前記開口部の他端とがこの開閉体の開口部閉塞時に係合する構成とした例の説明正面図並びに要部の説明拡大斜視図である。
【図５】  従来例１を示す要部の説明拡大平面図である。
【図６】  従来例２を示す要部の説明拡大平面図である。
【符号の説明】
１  連結物
２  環基体
３  開口部
４  開閉体
５  バネ
６  対向壁
７  枢着軸
８  連結部
８Ａ  先端左右凹部
９  切欠部
10  軸孔
11  微小突起
12  架設部
【図１】
0004630472.tif 000002
【図２】
0004630472.tif 000003
【図３】
0004630472.tif 000004
【図４】
0004630472.tif 000005
【図５】
0004630472.tif 000006
【図６】
0004630472.tif 000007